(57)【特許請求の範囲】
【請求項１】
電力で駆動される負荷機器と制御コイルへの通電によって開閉が切り替えられる電磁開閉器との間に前記負荷機器と直列に接続される過電流保護装置を備えた電力供給回路において、
前記過電流保護装置は、所定の負荷で動作して前記負荷機器への電力の供給を遮断し、負荷が減少すると自己復帰する第１の過電流リレーと、当該第１の過電流リレーと直列に接続され、前記第１の過電流リレーよりも遅く動作して前記負荷機器への電力の供給を遮断し、手動で復帰されるバイメタル式の第２の過電流リレーとを有し、
前記第２の過電流リレーのバイメタル接片と前記電磁開閉器の前記制御コイルの一端とを接続したことを特徴とする電力供給回路。
【請求項２】
前記電磁開閉器は、前記制御コイルに電流が供給されていない際に開く常開接点と、前記制御コイルに電流が供給されていない際に閉じる常閉接点とを有し、前記常開接点は直列回路によって前記負荷機器に直列に接続され、前記常閉接点は、前記直列回路に対して並列に接続されるとともに、スイッチのオン操作によって電源から前記制御コイルに電流が供給された後に開く電源スイッチに接続されていることを特徴とする請求項１記載の電力供給回路。
【請求項３】
前記第１の過電流リレーと前記制御コイルとは、前記第２の過電流リレーから分岐して並列に接続されることを特徴とする請求項１または２記載の電力供給回路。
【請求項４】
前記第１の過電流リレー及び前記第２の過電流リレーは、前記負荷機器の近傍に取り付けられ、前記負荷機器の発熱によって動作することを特徴とする請求項１から３のいずれかに記載の電力供給回路。
【発明の詳細な説明】
【技術分野】
【０００１】
本発明は、過電流保護装置を備えた電力供給回路に関する。
【背景技術】
【０００２】
従来、冷蔵庫、小型エアコン等の冷却機器に用いられる電動圧縮機をその過電流状態から保護するため、電動圧縮機の本体ケースに密着して取り付けられ、温度を感知し且つ電動圧縮機の電動機に流れる過電流に応じて発熱するヒータの熱にて動作するバイメタルを利用して、電動圧縮機の電動機と電源との間に直列に接続されたスイッチ接片を開閉する過電流保護装置が設けられている。この場合、電動圧縮機の本体ケースの異常温度、または過電流状態におけるヒータの発熱によってバイメタルの動作温度に達すると、バイメタルが正反転しそれによってスイッチ接片が開き、電動圧縮機の電動機への通電を遮断すると共に、ヒータへの通電も断たれる。そして、自然冷却によってバイメタルの復帰温度に冷却されると、バイメタルが逆反転（復帰反転）してスイッチ接片が閉じ、電動圧縮機の電動機への通電とヒータへの通電が再開される。
【０００３】
このようにバイメタルの反転動作によって電動圧縮機の電動機の焼損を防止するが、電動圧縮機の過負荷状態やロック状態が継続している場合には、バイメタルの反転・逆反転が繰り返され、それに伴ってスイッチ接片が開閉され、この開閉回数が長期に亘って行なわれると、バイメタルの正反転・逆反転の寿命が尽きて、バイメタルがスイッチ接片を開くことができず、スイッチ接片が溶着して電動圧縮機の電動機が過電流状態のままとなり、この電動機が焼損する状態となる。
【０００４】
このような問題を解決するために、電動圧縮機の電動機への通電回路を開閉する接点を有する接続接片を、通常の過電流状態では第１の過電流リレー（第１のバイメタル接片）の反転によって開き、電動機への通電回路を遮断する。そして、第１の過電流リレーの寿命が尽き反転動作をしなくなったときは、電動圧縮機の電動機へ過電流が流れたままとなるが、それにより生じる高温によって、第２の過電流リレー（第２のバイメタル接片）が反転して前記接続接片を開いて電動圧縮機の電動機への通電回路を開く。この第２の過電流リレーの復帰温度は、−５０℃のように通常環境下では復帰しない温度に設定されたものであり、一度動作すると電動圧縮機の電動機への通電が遮断するようにして、電動機の焼損を防止する、所謂、フェールセーフ機能を持つ技術がある（例えば、特許文献１）。
【先行技術文献】
【特許文献】
【０００５】
【特許文献１】特開平０７−２０１２６２号公報
【発明の概要】
【発明が解決しようとする課題】
【０００６】
ところで、上記過電流保護装置を備えた電力供給回路では、通常環境下では復帰しない第２の過電流リレーが動作して負荷機器である電動機への通電回路を遮断することで、過電流状態を防いで電動機の焼損を防止できるが、電動機への通電回路を遮断しても装置の電源は生きているため、何らかの要因（例えば、異物等が接触する等）によって、第２の過電流リレーが復帰されてしまうと、電動機への通電が行われて電動機が焼損する虞がある。
【０００７】
本発明は、上述した事情に鑑みてなされたものであり、通常環境下では復帰しない第２の過電流リレーを備えた電力供給回路において、第２の過電流リレーが復帰されたとしても負荷機器の破損を防止できるようにすることを目的とする。
【課題を解決するための手段】
【０００８】
上記目的を達成するため、本発明は、電力で駆動される負荷機器と制御コイルへの通電によって開閉が切り替えられる電磁開閉器との間に前記負荷機器と直列に接続される過電流保護装置を備えた電力供給回路において、前記過電流保護装置は、所定の負荷で動作して前記負荷機器への電力の供給を遮断し、負荷が減少すると自己復帰する第１の過電流リレーと、当該第１の過電流リレーと直列に接続され、前記第１の過電流リレーよりも遅く動作して前記負荷機器への電力の供給を遮断し、手動で復帰されるバイメタル式の第２の過電流リレーとを有し、前記第２の過電流リレーのバイメタル接片と前記電磁開閉器の前記制御コイルの一端とを接続したことを特徴とする。
【０００９】
また、上記構成において、前記電磁開閉器は、前記制御コイルに電流が供給されていない際に開く常開接点と、前記制御コイルに電流が供給されていない際に閉じる常閉接点とを有し、前記常開接点は直列回路によって前記負荷機器に直列に接続され、前記常閉接点は、前記直列回路に対して並列に接続されるとともに、スイッチのオン操作によって電源から前記制御コイルに電流が供給された後に開く電源スイッチに接続されている構成としても良い。
また、前記第１の過電流リレーと前記制御コイルとは、前記第２の過電流リレーから分岐して並列に接続される構成としても良い。
さらに、前記第１の過電流リレー及び前記第２の過電流リレーは、前記負荷機器の近傍に取り付けられ、前記負荷機器の発熱によって動作する構成としても良い。
【発明の効果】
【００１０】
本発明によれば、第２の過電流リレーが何らかの要因で復帰されたとしても負荷機器の破損を防止できる。
【図面の簡単な説明】
【００１１】
【図１】本発明の実施の形態に係る電力供給回路を示す回路図である。
【図２】電動圧縮機の構成を示す概略図である。
【図３】第１の過電流リレー及び第２の過電流リレーの外観を示す側面図である。
【図４】電源スイッチがオンにされた後の電力供給回路を示す図である。
【図５】第２の過電流リレーが動作した状態の電力供給回路を示す図である。
【発明を実施するための形態】
【００１２】
以下、本発明の実施の形態に係る電力供給回路について図面を参照して説明する。
図１は、本発明の実施の形態に係る電力供給回路を示す回路図である。
電力供給回路１は、冷蔵庫、小型エアコン等の冷却機器に用いられる電動圧縮機１０（図２）の電動機２１（負荷機器）を駆動する回路である。電力供給回路１は、交流式の電動機２１と、交流の電源１１と、電源１１と電動機２１との間に接続される電磁開閉器１４と、電動機２１と電磁開閉器１４との間に接続される過電流保護装置３０と、を備えている。過電流保護装置３０は、所定の負荷で動作して電動機２１への電力供給を遮断する第１の過電流リレー３１、及び、第１の過電流リレーよりも遅く動作して電動機２１への電力供給を遮断する第２の過電流リレー３２を有している。
電動機２１、電源１１、第１の過電流リレー３１及び第２の過電流リレー３２は直列に接続されて主回路１５（直列回路）を構成している。第１の過電流リレー３１、第２の過電流リレー３２及び電磁開閉器１４は、不図示の電装箱内に配置される。
【００１３】
電磁開閉器１４は、第１のａ接点１４Ａ（常開接点）と、第２のａ接点１４Ｂ（常開接点）と、ｂ接点１４Ｃ（常閉接点）と、第１のａ接点１４Ａ、第２のａ接点１４Ｂ及びｂ接点１４Ｃを切り替える制御コイル１４Ｄとを備える。すなわち、制御コイル１４Ｄに電流が供給されていない場合、第１のａ接点１４Ａ及び第２のａ接点１４Ｂは開放され、ｂ接点１４Ｃは閉じている。制御コイル１４Ｄに電流が供給されている場合、第１のａ接点１４Ａ及び第２のａ接点１４Ｂは閉じられ、ｂ接点１４Ｃは開放する。
【００１４】
第１のａ接点１４Ａは、電源１１の一方の端子１１Ａと第１の過電流リレー３１との間に接続されている。第２のａ接点１４Ｂは、電源１１の他方の端子１１Ｂと電動機２１との間に接続されている。
ｂ接点１４Ｃは、主回路１５に対して並列に接続されており、その一端は電動機２１と第２のａ接点１４Ｂとの間に接続され、他端は電源１１の他方の端子１１Ｂに接続されている。ｂ接点１４Ｃと電源１１の他方の端子１１Ｂとの間には、電源スイッチ１６が接続されている。ここで、電源スイッチ１６は押しボタン式のスイッチであり、押圧操作により閉じられてオンとなり、制御コイル１４Ｄに通電された後に自動的に開いてオフとなるように構成されている。
制御コイル１４Ｄは、主回路１５に対して並列に接続されており、その一端１４Ｄ１（制御コイルの一端）は第２の過電流リレー３２に接続されており、他端１４Ｄ２は電源１１の一方の端子１１Ａに接続されている。
【００１５】
図２は、電動圧縮機１０の構成を示す概略図である。
電動圧縮機１０は、密閉ケースを構成する本体ケース２０内に、電動機２１と冷媒圧縮機部２２が収納され、冷媒圧縮機部２２が電動機２１によって駆動されることにより冷媒を圧縮する周知のものである。
【００１６】
第１の過電流リレー３１は、合成樹脂製の耐熱絶縁ケース３１Ｋに、所定の負荷で動作する第１のバイメタル接片３１Ａと、第１のバイメタル接片３１Ａを加熱する電気ヒータ３１Ｂとを収納して構成されている。
第２の過電流リレー３２は、合成樹脂製の耐熱絶縁ケース３２Ｋに、第１の過電流リレーの後に動作する第２のバイメタル接片３２Ａ（バイメタル接片）と、第２のバイメタル接片３２Ａを加熱する電気ヒータ３２Ｂとを収納して構成されている。
【００１７】
図３は、第１の過電流リレー３１及び第２の過電流リレー３２の外観を示す側面図である。
第１の過電流リレー３１は、図３に示すように、一面（図３の下側面）が開口３１Ｋ１である有底円筒形状をなす合成樹脂製の耐熱絶縁ケース３１Ｋを主体とし、耐熱絶縁ケース３１Ｋの底壁（図３の上側壁）３１Ｋ２の中央部にナット３１Ｄで固定された支持軸３１Ｃに、耐熱絶縁ケース３１Ｋの内面から離れた状態で第１のバイメタル接片３１Ａ（図１）が支持されている。第１のバイメタル接片３１Ａは、円形状のバイメタル板の左右両側の突出部に可動側接点３１Ｅを備えている。耐熱絶縁ケース３１Ｋの底壁（図３の上側壁）３１Ｋ２には、２個の外部端子Ａ、Ｂが取り付けられ、この外部端子Ａ、Ｂが耐熱絶縁ケース３１Ｋの内側に露出している。
【００１８】
底壁（図３の上側壁）３１Ｋ２の内側には端子Ｃが設けられ、外部端子Ａの耐熱絶縁ケース３１Ｋの内側端と端子Ｃとは、第１のバイメタル接片３１Ａの可動側接点３１Ｅにそれぞれ対応した固定接点３１Ｇを形成し、端子Ｂの耐熱絶縁ケース３１Ｋの内側端には電気ヒータ３１Ｂの一端が接続され、端子Ｃに電気ヒータ３１Ｂの他端が接続されている。過電流状態でない通常状態では、第１のバイメタル接片３１Ａは、図１に実線で示すように、左右の可動側接点３１Ｅが左右の固定接点３１Ｇに当接した状態である。所定の電気抵抗を有する電気ヒータ３１Ｂは、第１のバイメタル接片３１Ａと熱結合関係になるように、第１のバイメタル接片３１Ａの近傍に配置されている。
【００１９】
第１のバイメタル接片３１Ａは、熱による所定の負荷で動作し、負荷が減少すると自己復帰する。具体的には、第１のバイメタル接片３１Ａは、電気ヒータ３１Ｂによって所定の動作温度Ｔ１（一例として１２０℃）で所定の動作時間ｔ１（一例として１０秒）加熱されることで動作して電動機２１への電力供給回路を遮断し、温度が所定の復帰温度（一例として１００℃）まで下がると自己復帰するように構成されている。
【００２０】
第２の過電流リレー３２は、構造的には一部の構成を除き第１の過電流リレー３１と同様の構成である。このため図３では、第１の過電流リレー３１と同様部分を括弧内の符号で示している。即ち、第２の過電流リレー３２は、図３に示すように、一面（図３の下側面）が開口３２Ｋ１である有底円筒形状をなす合成樹脂製の耐熱絶縁ケース３２Ｋを主体とし、この耐熱絶縁ケース３２Ｋの底壁（図３の上側壁）３２Ｋ２の中央部にナット３２Ｄで固定された支持軸３２Ｃに、耐熱絶縁ケース３２Ｋの内面から離れた状態で第２のバイメタル接片３２Ａ（図１）が支持されている。第２のバイメタル接片３２Ａは、円形状のバイメタル板の左右両側の突出部に可動側接点３２Ｅを備えている。耐熱絶縁ケース３２Ｋの底壁（図３の上側壁）３２Ｋ２には、２個の外部端子Ａ、Ｂが取り付けられ、この外部端子Ａ、Ｂが耐熱絶縁ケース３２Ｋの内側に露出している。
第２のバイメタル接片３２Ａは、支持軸３２Ｃから延びる配線３３によって制御コイル１４Ｄの一端１４Ｄ１に接続されている。
【００２１】
底壁（図３の上側壁）３２Ｋ２の内側には端子Ｃが設けられ、外部端子Ａの耐熱絶縁ケース３２Ｋの内側端と端子Ｃとは、第２のバイメタル接片３２Ａの可動側接点３２Ｅにそれぞれ対応した固定接点３２Ｇを形成し、端子Ｂの耐熱絶縁ケース３２Ｋの内側端には電気ヒータ３２Ｂの一端が接続され、端子Ｃに電気ヒータ３２Ｂの他端が接続されている。過電流状態でない通常状態では、第２のバイメタル接片３２Ａは、図１に実線で示すように、左右の可動側接点３２Ｅが左右の固定接点３２Ｇに当接した状態である。所定の電気抵抗を有する電気ヒータ３２Ｂは、第２のバイメタル接片３２Ａと熱結合関係になるように、第２のバイメタル接片３２Ａの近傍に配置されている。
【００２２】
第２のバイメタル接片３２Ａは、熱による負荷によって第１のバイメタル接片３１Ａよりも遅く動作し、その後、手動で復帰される。具体的には、第２のバイメタル接片３２Ａは、電気ヒータ３２Ｂによって所定の動作温度Ｔ２（一例として１２０°）で所定の動作時間ｔ２（一例として２０秒）加熱されることで動作して電動機２１への電力供給回路を遮断し、その後、サービスマン等によって手動で復帰される。第２のバイメタル接片３２Ａは、電動圧縮機１０が通常環境において使用される温度状況で生じる低温よりも十分低い零下の温度（一例として−５０℃）で自己復帰するものであり、サービスマンが液体窒素等で冷却することで手動復帰される。ここでは、第２のバイメタル接片３２Ａは、電動圧縮機１０の通常の使用環境で自己復帰しないものであれば良く、手動復帰は、押しボタン等によって第２のバイメタル接片３２Ａを押圧して復帰させる方法、サービスマンによって第２のバイメタル接片３２Ａを交換する方法、及び、液体窒素等で冷却して自己復帰させる方法を含んでいる。
【００２３】
第２のバイメタル接片３２Ａが反転して可動側接点３２Ｅが固定接点３２Ｇから離れる動作温度Ｔ２（１２０℃）は、第１のバイメタル接片３１Ａが反転して可動側接点３１Ｅが固定接点３１Ｇから離れる動作温度Ｔ１（１２０℃）と同じ温度に設定してあるが、第２のバイメタル接片３２Ａの動作時間ｔ２（２０秒）は第１のバイメタル接片３１Ａの動作時間ｔ１（１０秒）よりも長く設定されており、第１のバイメタル接片３１Ａが反転動作する前に第２のバイメタル接片３２Ａが反転動作することはない。すなわち、第２のバイメタル接片３２Ａは、所定の負荷で動作する第１のバイメタル接片３１Ａよりも時期的に遅く動作するように設定されている。
【００２４】
第１のバイメタル接片３１Ａが動作する所定の負荷は、第２のバイメタル接片３２Ａが第１のバイメタル接片３１Ａよりも遅く動作するように設定される。
ここで、第１のバイメタル接片３１Ａ及び第２のバイメタル接片３２Ａを動作させる負荷は、主回路１５を流れる電流によって発熱する電気ヒータ３１Ｂ，３２Ｂの熱である。第１のバイメタル接片３１Ａ及び第２のバイメタル接片３２Ａは動作温度Ｔ１，Ｔ２が同じであるが、第２のバイメタル接片３２Ａの動作時間ｔ２を動作時間ｔ１よりも大きく設定し、第２のバイメタル接片３２Ａを、第１のバイメタル接片３１Ａよりも大きな熱を受けなければ動作しないように構成することで、第２のバイメタル接片３２Ａが遅く動作するように設定構成されている。しかし、他の構成によって第２のバイメタル接片３２Ａが第１のバイメタル接片３１Ａよりも遅く動作するようにしても良い。例えば、動作温度Ｔ２を動作温度Ｔ１よりも大きく設定したり、電気ヒータ３１Ｂ，３２Ｂの発熱量を異ならせたりすることで、第２のバイメタル接片３２Ａが第１のバイメタル接片３１Ａよりも遅く動作する構成としても良い。
【００２５】
上記の構成の第１の過電流リレー３１及び第２の過電流リレー３２は、第１の過電流リレー３１と第２の過電流リレー３２との直列回路が、電動圧縮機１０の電動機２１と直列に接続される。第１の過電流リレー３１の可動側接点３１Ｅが固定接点３１Ｇに当接した状態で、第１のバイメタル接片３１Ａと電気ヒータ３１Ｂとが第１の直列回路を形成する。また、第２の過電流リレー３２の可動側接点３２Ｅが固定接点３２Ｇに当接した状態で、第２のバイメタル接片３２Ａと電気ヒータ３２Ｂとが第２の直列回路を形成する。この第１、第２の両直列回路は直列接続されて、電動機２１と直列に接続される。
【００２６】
図１に示すように、第１の過電流リレー３１は、その外部端子Ａに第１のａ接点１４Ａが接続され、端子Ｂに第２の過電流リレー３２の外部端子Ａが接続される。そして、可動側接点３１Ｅが固定接点３１Ｇに当接した第１のバイメタル接片３１Ａと電気ヒータ３１Ｂとが第１の直列回路を形成する。
第２の過電流リレー３２は、可動側接点３２Ｅが固定接点３２Ｇに当接した第２のバイメタル接片３２Ａと電気ヒータ３２Ｂが第２の直列回路を形成し、端子Ｂが電動機２１の一端に接続される。これによって、前記第１、第２の両直列回路は直列接続されて、電動機２１と直列回路を形成する。
【００２７】
ここで、電力供給回路１の動作を説明する。
図４は、電源スイッチ１６がオンにされた後の電力供給回路１を示す図である。図５は、第２の過電流リレー３２が動作した状態の電力供給回路１を示す図である。
図１において、電源スイッチ１６がオンにされて閉じられると、電磁開閉器１４のｂ接点１４Ｃを経由して電流が流れ、第２の過電流リレー３２から配線３３を介して制御コイル１４Ｄに電流が供給され、これにより、図４に示すように、第１のａ接点１４Ａ及び第２のａ接点１４Ｂは閉じられ、ｂ接点１４Ｃは開かれ、電源スイッチ１６は、制御コイル１４Ｄの通電直後に自動的に開かれる。これにより、主回路１５に電流が流れ、電動圧縮機１０が運転される。
【００２８】
電動圧縮機１０の通常の運転時には、電動機２１を流れる電流は設定値以下のため、電気ヒータ３１Ｂからの発熱量は第１のバイメタル接片３１Ａを図１の破線のように反転するほど多くなく、また、電気ヒータ３２Ｂからの発熱量は第２のバイメタル接片３２Ａを図１の破線のように反転するほど多くない。このため、可動側接点３１Ｅが固定接点３１Ｇに当接し、可動側接点３２Ｅが固定接点３２Ｇに当接した状態を維持して、電動機２１は電源１１から電力を供給されている状態であり、電動圧縮機１０は通常の運転状態を継続する。
【００２９】
しかし、電動圧縮機１０が過負荷状態になったとき、または起動不良やロック状態になると、設定値以上の過電流が流れることにより、電気ヒータ３１Ｂ、３２Ｂの発熱量が増え、第１及び第２のバイメタル接片３１Ａ、３２Ａの受熱量が増える。これによって、先ず第１のバイメタル接片３１Ａの動作温度Ｔ１（１２０℃）またはそれ以上に電気ヒータ３１Ｂによって熱せられた状態で、第１のバイメタル接片３１Ａの動作時間ｔ１（１０秒）が経過することにより、第１のバイメタル接片３１Ａが図１の破線のように反転し、可動側接点３１Ｅが固定接点３１Ｇから離れ、電動機２１への電源供給回路を遮断する。第２のバイメタル接片３２Ａの反転動作に至るまでの動作時間ｔ２は、動作時間ｔ１に比して相当長い時間（２０秒）に設定しているため、第２のバイメタル接片３２Ａは反転動作せず、可動側接点３２Ｅが固定接点３２Ｇに当接したままである。
【００３０】
このように電動圧縮機１０の運転停止により、電気ヒータ３１Ｂの通電もなくなり、自然冷却によって、動作温度Ｔ１よりも低く０℃よりも高い復帰温度（１００℃）になると、第１のバイメタル接片３１Ａは図１の実線のように逆反転（自己復帰）動作して、再び可動側接点３１Ｅが固定接点３１Ｇに当接し、再び電動機２１が起動して電動圧縮機１０が運転状態に復帰する。この復帰したとき、電動圧縮機１０の過負荷状態、または起動不良やロック状態が解消していれば、電動機２１を流れる電流は設定値以下のため、上記のように電動圧縮機１０は通常の運転状態を継続する。しかし、復帰したときに、電動圧縮機１０の過負荷状態、または起動不良やロック状態が解消していなければ、再び第１のバイメタル接片３１Ａの動作温度Ｔ１またはそれ以上に熱せられた状態で、第１のバイメタル接片３１Ａの動作時間ｔ１が経過することにより、第１のバイメタル接片３１Ａが図１の破線のように反転し、可動側接点３１Ｅが固定接点３１Ｇから離れ、電動機２１への電源供給回路を遮断する。このようにして、電動圧縮機１０を過負荷状態、または起動不良やロック状態によって生じる焼損から保護する。
【００３１】
しかし、このような第１のバイメタル接片３１Ａの反転及び復帰による固定接点３１Ｇに対する可動側接点３１Ｅの開閉が長期に亘って行なわれることで、固定接点３１Ｇに対する可動側接点３１Ｅの開閉回数が多くなって、第１のバイメタル接片３１Ａの正反転・逆反転の寿命が尽き、固定接点３１Ｇに対し可動側接点３１Ｅが開くことができず、図５に示すように可動側接点３１Ｅが固定接点３１Ｇに溶着した場合には、電動圧縮機１０の電動機２１が過電流状態のままとなり、これが継続すれば、電動機２１が焼損する状態となる。
【００３２】
このように、可動側接点３１Ｅが固定接点３１Ｇに溶着した場合には、電気ヒータ３２Ｂへの通電が継続されるため、電気ヒータ３２Ｂの発熱量が増え、第２のバイメタル接片３２Ａの受熱量が増える。そして、第２のバイメタル接片３２Ａが動作温度Ｔ２（１２０℃）またはそれ以上に熱せられた状態で、第２のバイメタル接片３２Ａの動作時間ｔ２（２０秒）が経過することにより、第２のバイメタル接片３２Ａが図５のように反転し、可動側接点３２Ｅが固定接点３２Ｇから離れ、電動機２１への電源供給回路が遮断されるとともに、配線３３を介した制御コイル１４Ｄへの回路が遮断される。その結果、電動機２１への電源供給回路が遮断されて電動機２１の焼損が防止されるとともに、第１のａ接点１４Ａ及び第２のａ接点１４Ｂは開かれ、電磁開閉器１４においても電動機２１への電源供給回路が遮断される。また、ｂ接点１４Ｃは閉じられるが、電源スイッチ１６がオフとなっているため、電動機２１に通電されることは無い。
【００３３】
本実施の形態では、第２の過電流リレー３２の第２のバイメタル接片３２Ａを支持軸３２Ｃから延びる配線３３によって電磁開閉器１４の制御コイル１４Ｄに接続し、第２のバイメタル接片３２Ａの動作に連動して、電源１１と電動機２１とを接続する電磁開閉器１４を遮断するように構成したため、図３の状態で異物の接触等の要因によって第２のバイメタル接片３２Ａが復帰されたとしても、電動機２１に電力が供給されることを防止でき、電動機２１の燃損を確実に防止できる。
【００３４】
以上説明したように、本発明を適用した実施の形態によれば、電源１１は、制御コイル１４Ｄへの通電によって開閉が切り替えられる電磁開閉器１４を介して電動機２１に接続され、過電流保護装置３０は、所定の負荷、すなわち動作温度Ｔ１（１２０℃）で動作時間ｔ２（１０秒）だけ加熱されることで動作して電動機２１への電力供給を遮断し、負荷が減少すると自己復帰する第１の過電流リレー３１と、第１の過電流リレー３１と直列に接続され、動作温度Ｔ２（１２０℃）で動作時間ｔ２（２０秒）だけ加熱されることによって第１の過電流リレー３１よりも遅く動作して電動機２１への電力供給を遮断し、手動で復帰される第２の過電流リレー３２とを有し、第２の過電流リレー３２の第２のバイメタル接片３２Ａと電磁開閉器１４の制御コイル１４Ｄの一端１４Ｄ１とを接続したため、第２の過電流リレー３２が動作すると制御コイル１４Ｄへの電力の供給が断たれる。これにより、電源１１と電動機２１とを接続する回路を遮断できるため、第２の過電流リレー３２の第２のバイメタル接片３２Ａが何らかの要因で復帰されたとしても電動機２１の破損を防止することができる。
【００３５】
また、電磁開閉器１４は、制御コイル１４Ｄに電流が供給されていない際に開く第１のａ接点１４Ａ及び第２のａ接点１４Ｂと、制御コイル１４Ｄに電流が供給されていない際に閉じるｂ接点１４Ｃとを有し、第１のａ接点１４Ａ及び第２のａ接点１４Ｂは主回路１５によって電動機２１に直列に接続され、ｂ接点１４Ｃは、主回路１５に対して並列に接続されるとともに、オン操作によって電源１１から制御コイル１４Ｄに電流が供給された後に開く電源スイッチ１６に接続されているため、電源スイッチ１６をオンにして制御コイル１４Ｄに電流を供給することで、第１のａ接点１４Ａ及び第２のａ接点１４Ｂを閉じて電動機２１に電流を供給できるとともに、第２の過電流リレー３２が動作して制御コイル１４Ｄに電流が供給されなくなった際には、第１のａ接点１４Ａ及び第２のａ接点１４Ｂを開いて電動機２１の電力供給回路を遮断でき、第２の過電流リレー３２が何らかの要因で復帰されたとしても電動機２１に電力が供給されない。また、電源スイッチ１６は、制御コイル１４Ｄに電流が供給された後に開くため、第２の過電流リレー３２が何らかの要因で復帰されたとしても、ｂ接点１４Ｃから電動機２１に電力が供給されない。
また、第１の過電流リレー３１と制御コイル１４Ｄとは、第２の過電流リレー３２から分岐して並列に接続されるため、第１の過電流リレー３１が動作した場合に制御コイル１４Ｄへの電力の供給が断たれることがない。
【００３６】
なお、上記実施の形態は本発明を適用した一態様を示すものであって、本発明は上記実施の形態に限定されない。
上記実施の形態では、電動圧縮機１０の電動機２１を負荷機器として説明したが、本発明はこれに限定されるものではなく、本発明は、電力で駆動されるあらゆる負荷機器に適用可能である。
【００３７】
また、上記実施の形態においては、第１の過電流リレー３１及び第２の過電流リレー３２は、不図示の電装箱内に配置されるものとして説明したが、本願発明はこれに限定されるものではなく、第１の過電流リレー３１及び第２の過電流リレー３２は、電動圧縮機１０に配置されても良い。この場合について、変形例として説明する。
【００３８】
［変形例］
この変形例において、上記実施の形態と同様に構成される部分については、同符号を付して説明を省略する。
図２に２点鎖線で示すように、上記実施の形態の第１の過電流リレー３１及び第２の過電流リレー３２と同様に構成される第１の過電流リレー１３１及び第２の過電流リレー１３２は、電動圧縮機１０の本体ケース２０の上面に取り付けれ、カバー６０で覆われている。これら第１の過電流リレー１３１及び第２の過電流リレー１３２は、電気ヒータ３１Ｂ，３２Ｂの熱に加えて、電動機２１の発熱によっても加熱される。この構成では、電気ヒータ３１Ｂ，３２Ｂの容量を小さく設定できる。なお、第１の過電流リレー１３１及び第２の過電流リレー１３２は、本体ケース２０の表面等の電動機２１の発熱を感知できる場所に配置されれば良く、例えば、本体ケース２０の側面に取り付けられても良い。
【００３９】
また、この変形例の構成において第１の過電流リレー１３１及び第２の過電流リレー１３２に電気ヒータ３１Ｂ，３２Ｂを設けずに、電動機２１の発熱によって第１の過電流リレー１３１及び第２の過電流リレー１３２が動作する構成としても良い。ここでは、第１の過電流リレー１３１及び第２の過電流リレー１３２が動作する負荷の大きさ（熱量）は、電動機２１に過電流が発生していると見なされる大きさに設定されている。
この構成によれば、第１の過電流リレー１３１及び第２の過電流リレー１３２は、電動機２１の近傍の本体ケース２０に取り付けられ、電動機２１の発熱のみによって動作するため、第１の過電流リレー１３１及び第２の過電流リレー１３２を加熱するヒータ等が不要となり、構造を簡単にできる。
【符号の説明】
【００４０】
１  電力供給回路
１１  電源
１４  電磁開閉器
１４Ａ  第１のａ接点（常開接点）
１４Ｂ  第２のａ接点（常開接点）
１４Ｃ  ｂ接点（常閉接点）
１４Ｄ  制御コイル
１５  主回路（直列回路）
１６  電源スイッチ
２１  電動機（負荷機器）
３０  過電流保護装置
３１，１３１  第１の過電流リレー
３２，１３２  第２の過電流リレー
３２Ａ  第２のバイメタル接片（バイメタル接片）
１４Ｄ１  一端（制御コイルの一端）
【図１】
0005857240.tif 000002
【図２】
0005857240.tif 000003
【図３】
0005857240.tif 000004
【図４】
0005857240.tif 000005
【図５】
0005857240.tif 000006